(57)【特許請求の範囲】
【請求項１】
内奥部に化粧料を収納し開口部に嵌合部を有する蓋体と、前記化粧料を塗布する化粧筆を繰り出し可能に内装し前記蓋体と嵌脱可能に嵌合する本体とを備えて成る化粧料容器において、
前記本体には、化粧筆を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記化粧筆の繰り出し機構が構成されており、前記本体の繰り出し機構における作動時の回転抵抗力よりも前記蓋体と本体との嵌合時における嵌合機構の回転抵抗力を大きく設定し、前記蓋体を前記化粧筆が昇動する回転方向へ相互回転させることにより前記化粧筆が前記化粧料に圧接すると共に前記蓋体の嵌合が前記化粧筆の昇動方向の回転力で解除されて前記本体より離脱可能としたことを特徴とする化粧料容器。
【請求項２】
嵌合機構が蓋体と本体との螺子嵌合であることを特徴とする請求項１記載の化粧料容器。
【請求項３】
嵌合機構が蓋体と本体とのアンダーカット嵌合と前記アンダーカット嵌合を解除するカム機構とで構成されていることを特徴とする請求項１記載の化粧料容器。
【発明の詳細な説明】
【０００１】
【発明の属する技術分野】
本発明は、頬紅やプレストパウダー、白粉のような固形状の化粧料や粉体化粧料を収容した蓋体と、収納した化粧料に使用する化粧筆を繰り出し機構で出没自在に収納した本体と、から成る携帯に便利な棒状の化粧料容器に関するものである。
【０００２】
【従来技術】
この種の容器として、例えば、実公平６−３０１０６号には、蓋体内に化粧料を収容し、この蓋体と嵌合する本体内に繰り出し機構を設けて繰り出し操作で伸長する化粧筆を備えたものが提案されている。この容器を使用するときは、閉蓋したまま化粧筆を繰り出し伸長させて筆先を化粧料に圧接することにより化粧料を付着させ、閉蓋状態のまま更に化粧筆を繰り出して化粧筆で蓋体を押し上げることにより本体におけるスリーブの嵌合部と蓋体との嵌合を解除して本体を蓋体から抜脱自在とし、この時、化粧筆には化粧料が付着していることから蓋体から本体を抜脱すると同時に塗布が可能となるものである。
【０００３】
【発明が解決しようとする課題】
上記従来の容器は、蓋体内で筆先に化粧料を付着させることができる利点がある。しかしながら、蓋体と本体とを把持して相互回転させることにより化粧筆を蓋体内へ繰り出すものであることから、化粧筆の押し上げ力で本体におけるスリーブの嵌合部と蓋体との嵌合を解除するとき、蓋体から本体を引き抜く操作を意識的に加えないと、蓋体とスリーブの嵌合部とで相互回転方向に滑り合い、蓋体と本体とが空回り状態となって嵌合が解除されずに化粧筆の回し過ぎにより加圧状態の筆先を傷めてしまうことがある。また、嵌合が解除された後も筆先が化粧料に接触状態にあることから蓋体から本体を引き抜く操作をせずに不用意に回転を続けると、筆先に化粧料が付着し過ぎてしまったり、過度の摩擦で筆先や化粧料の状態を傷めてしまう欠点を有している。また、蓋体を閉める際にピストン効果で化粧料の粉末が容器の外に噴出する問題もある。
【０００４】
本発明は、上記の問題に鑑みてなされたもので、化粧筆の繰り出し操作で蓋体内で筆先に化粧料を付着させると共に筆先を傷める心配なく蓋体と本体とを確実に離脱することができる容器にすることにある。
【０００５】
【課題を解決するための手段】
本発明は、内奥部に化粧料を収納し開口部に嵌合部を有する蓋体と、前記化粧料を塗布する化粧筆を繰り出し可能に内装し前記蓋体と嵌脱可能に嵌合する本体とを備えて成る化粧料容器において、前記本体には、化粧筆を装着し周壁に螺合突起を突設した昇降筒と、前記昇降筒を昇降自在に内装し前記螺合突起が貫通するガイド溝がスリーブに穿設され頸部に前記蓋体の嵌合部と嵌合機構を構成する嵌合部を設けた中筒と、前記中筒と回動可能に外嵌し内壁に前記螺合突起が螺合する螺旋溝を螺設した外筒とを有して前記化粧筆の繰り出し機構が構成されており、前記本体の繰り出し機構における作動時の回転抵抗力よりも前記蓋体と本体との嵌合時における嵌合機構の回転抵抗力を大きく設定し、前記蓋体を前記化粧筆が昇動する回転方向へ相互回転させることにより前記化粧筆が前記化粧料に圧接すると共に前記化粧筆の昇動方向の回転力で蓋体が上昇することで前記蓋体と本体との嵌合が解除されて前記本体より離脱可能とし、蓋体を化粧筆が昇動する方向へ回転させるだけで筆先に化粧料を付着させ、同一方向への連続する回転操作で蓋体が無理なく本体から離脱するようにした。
【０００６】
また、嵌合機構を蓋体と本体との螺子嵌合とすることにより、化粧筆が昇動する方向への連続する回転操作で筆先に化粧料を付着し、且つ蓋体が空回りることなく上昇して嵌合を確実の離脱させ、蓋体を閉めるときには化粧料の粉末が噴出することなく閉蓋でき、嵌合時には気密性の高いものとすることができる。
【０００７】
また、嵌合機構を蓋体と本体とのアンダーカット嵌合と前記アンダーカット嵌合を解除するカム機構とで構成することにより、蓋体と本体との嵌脱を簡便に行うことができる。
【０００８】
【発明の実施の形態】
以下、本発明の好適な実施の形態を添付図面を参照しながら詳細に説明する。
【０００９】
図１乃至図５は、本発明の化粧料容器の第一の実施の形態を示しており、図２に示すように、内奥部に化粧料２を収納し開口部に嵌合部を有する蓋体１と、前記化粧料２を塗布する化粧筆１１を繰り出し可能に内装し前記蓋体１と嵌脱可能に嵌合する本体１０とを備えて構成されている。
【００１０】
蓋体１は、有頂筒状に形成され、その奥部には中皿４に充填されたプレストパウダーからなる化粧料２が収納され、開口部の内壁には蓋体１側の本体１０との嵌合部であって本体１０と嵌合機構３を構成する雌ネジ５が螺設されている。
【００１１】
本体１０は、捲き金具１２で毛材を捲き固めた化粧筆１１を装着し外周壁に一対の螺合突起１３、１３を突設した昇降筒１４と、この昇降筒１４を昇降自在に内装する中筒１５と、この中筒１５と回動可能に外嵌する有底の外筒２５とで構成されている。
【００１２】
中筒１５は、その下方のスリーブ１６に昇降筒１４の螺合突起１３、１３が貫通する一対の縦長のガイド溝２１、２１が穿設され、ガイド溝２１、２１の上下両端部には横方向のストッパ溝２１ａ、２１ｂが連通して設けられている。また、中筒１５の頸部１７外周には本体２０側の蓋体１との嵌合部であって蓋体１の雌ネジ５と嵌合し嵌合機構３を構成する雄ネジ１８が螺設され、雄ネジ１８の基端にはフランジ１９が形成されており、該フランジ１９の下方には外筒２５と回転自在にアンダーカット嵌合する外向きの突条２０が突設されている。
【００１３】
外筒２５は、その内壁に前記スリーブ１６のガイド溝２１、２１を貫通して螺合突起１３１３が螺合するリードの長い螺旋溝２６が凹設されており、この外筒２５と中筒２０と昇降筒１４とで本体１０における化粧筆１１の繰り出し機構が構成されいる。また、外筒２５における開口の内壁には、中筒１５の突条２０と回動自在にアンダーカット嵌合する周溝２７が凹設されている。
【００１４】
また、この本体１０に組み付けられた化粧府筆１１の繰り出し機構における回転作動時の回転抵抗力は、蓋体１と本体１０との嵌合時における嵌合機構３の回転抵抗力よりも小さく設定してある。即ち、蓋体１と本体１０との螺子嵌合における螺子のリードは化粧筆１１の繰り出し機構における螺旋溝２６のリードよりも小さいことから、閉蓋した際の蓋体１と本体１０の当接面における接触抵抗力が繰り出し機構の回転抵抗力よりも強くなり、開蓋操作をすると必ず回転抵抗力の小さい繰り出し機構から作動する。
【００１５】
従って、蓋体１と本体１０を把持して化粧筆１１が昇動する回転方向へ相互回転させると、図３に示すように、蓋体１の回転と共に中筒１５が外筒２５と相互回転することにより昇降筒１４が昇動し、化粧筆１１の先端が容器内で化粧料２に圧接して筆先に化粧料２が付着すると共に中筒１５の回転が阻止される。
【００１６】
更に蓋体１を化粧筆１１の昇動方向へ回転を続けることで、図４に示すように、蓋体１本体１０との嵌合機構３に回転力が働いて螺子嵌合が緩み、蓋体１が上昇して螺子嵌合が解除される。そして、図５に示すように、蓋体１を無理なく本体１０から離脱させることができ、蓋体１と本体１０とを相互回転させる同一方向の一連の操作で筆先に化粧料１を付着させ且つ蓋体１を取り外すことができるものである。
【００１７】
化粧後、閉蓋するときは、中筒１５の頸部１７を把持し昇降筒１４の降動方向へ外筒２５と相互回転させて化粧筆１１を本体１０内へ収納し、蓋体１を本体１０の頸部１７へネジ締めする。本実施の形態では、蓋体１と本体１０との嵌合機構３を蓋体１と中筒１５との螺子嵌合としたので、係合が確実であり、フランジ１９の上面にパッキンなどを用いれば粉漏れ等のない気密性の高い携帯容器とすることが可能である。
【００１８】
図６乃至図７は、本発明の化粧料容器の第二のの実施の形態を示しており、図において、既述した第一の実施の形態と共通する部分については同一符号を付してその説明を省略する。
【００１９】
本実施の形態にあっては、蓋体１と本体１０の嵌合機構３は、蓋体１の開口部内壁に周設された凹溝６に中筒１５の頸部１７の外周面に周設された突起２２がアンダーカット嵌合する係止構造と、蓋体１０の凹溝６の下方に突設された一対のカム部７、７が中筒１７のフランジ１９の上面に突設された乗り上げ突起２３、２３に乗り上げて蓋体１を上昇させて前記アンダーカット嵌合を解除するカム機構とで構成されている。
【００２０】
本実施の形態にあっても、本体１０に組み付けられた化粧府筆１１の繰り出し機構における回転作動時の回転抵抗力は、蓋体１と本体１０とのアンダーカット嵌合した嵌合機構３における嵌合解除用のカム機構の回転抵抗力よりも小さく設定してある。即ち、アンダーカット嵌合を解除する際の抵抗がカム部７の回動の抵抗力となる為、開蓋操作をすると必ず回転抵抗力の小さい繰り出し機構から作動する。従って、化粧筆１１が昇動する回転方向へ操作すると、蓋体１の回転と共に中筒１５が外筒２５と相互回転して昇降筒１４が昇動して化粧筆１１の先端が容器内で化粧料２に圧接し、筆先に化粧料２が付着すると共に中筒１５の回転が阻止される。
【００２１】
更に蓋体１を化粧筆１１の昇動方向へ回転を続けると、図７に示すように、蓋体１と本体１０とを相互回転させる同一方向の一連の操作で、蓋体１のカム部７が本体１０における乗り上げ突起２３の傾斜面２３ａに乗り上げ蓋体１を上昇させて蓋体１と本体１０とのアンダーカット嵌合を解除し、簡単に蓋体１を取り外すことができる。
【００２２】
化粧後、閉蓋するときは、化粧筆１１を本体１０内へ収納後、蓋体１を本体１０の頸部１７に被せて押圧することによりアンダーカット嵌合する。乗り上げ突起２３傾斜面２３ａの反対側は蓋体１を繰り出し方向と逆方向に回転させないように垂直面２３ｂとなっている。本実施の形態では、以上のように、嵌合機構３を蓋体１と本体１０とのアンダーカット嵌合と、アンダーカット嵌合を解除するカム機構とで構成したので、蓋体１と本体１０との嵌脱を極めて簡便に行うことができる。
【００２３】
図８は、蓋体１に収納する化粧料２を粉体化粧料とした場合の例を示しており、蓋体１の上部を嵌脱可能な別部材のカートリッジ８とし、このカートリッジ８に粉体化粧料２を充填後、枠体３０に張設されたメッシュ３１を移動可能に挿入して粉体化粧料２を蓋体１の奥部に保持するようにしたものである。
【００２４】
蓋体１をこのような構成とすることにより、粉体化粧料２をコンパクトに携帯でき、蓋体１と本体１０を嵌着したまま化粧筆１１を繰り出してメッシュ３１を介して筆先に粉体化粧料２の付着を可能とし、且つ粉体化粧料２を最後まで使い切ることができると共にカートリッジ８を新しいものと交換して使うことができるようにしたものである。
【００２５】
【発明の効果】
本発明は、以上説明したような形態で実施され、以下に記載されるような効果を奏する。
【００２６】
本体の繰り出し機構における作動時の回転抵抗力よりも蓋体と本体との嵌合時における嵌合機構の回転抵抗力を大きく設定し、蓋体を化粧筆が昇動する回転方向へ相互回転させることにより化粧筆が化粧料に圧接すると共に化粧筆の昇動方向の回転力で蓋体が上昇し嵌合が解除されて離脱可能としたので、蓋体を化粧筆が昇動する方向へ回転させるだけで筆先を傷めることなく化粧料が付着して塗布可能となると共に、同一方向への連続する回転操作で蓋体が無理なく本体から確実に離脱する使い勝手の良い容器とすることができる。
【００２７】
また、蓋体と本体との嵌合機構を螺子嵌合としたことにより、化粧筆が昇動する方向への回転操作を違和感なく連続させることが可能であり、蓋体が空回りして筆先や化粧料を傷めることなく筆先に化粧料が付着でき、且つ嵌合を確実に解除できる気密性の高い容器とすることができる。また、閉蓋操作時における化粧料の噴出防止ができる。
【００２８】
また、嵌合機構を蓋体と本体との嵌合機構をアンダーカット嵌合とアンダーカット嵌合を解除するカム機構とで構成したことにより、蓋体と本体との迅速な嵌脱が可能となり、簡便に開閉する使い勝手の良い容器とすることができる。
【図面の簡単な説明】
【図１】本発明の化粧料容器の第一の実施の形態を示す分解斜視図。
【図２】図１の容器の組み付け後の状態を示す断面図。
【図３】図２の容器における化粧筆が昇動した作動状態を示す断面図。
【図４】図３の容器における作動が更に進み、蓋体と本体の離脱が始まった状態を示す断面図。
【図５】図４の容器における蓋体と本体の離脱が完了した状態を示す断面図。
【図６】本発明の化粧料容器の第二の実施の形態を示す断面図。
【図７】図６の容器における要部の作動状態を示す説明図。
【図８】図６の容器における異なる化粧料の使い方の形態を示す断面図。
【符号の説明】
１  蓋体，２  化粧料，３  嵌合機構，１０  本体，１１  化粧筆，１３、１３  螺合突起，１４  昇降筒，１５  中筒，１６  スリーブ，１７  頸部，２１ガイド溝，２５  外筒，２６  螺旋溝，
【図１】
0004814442.tif 000002
【図２】
0004814442.tif 000003
【図３】
0004814442.tif 000004
【図４】
0004814442.tif 000005
【図５】
0004814442.tif 000006
【図６】
0004814442.tif 000007
【図７】
0004814442.tif 000008
【図８】
0004814442.tif 000009